(57)【要約】【課題】簡便な操作により消費者の多様なニーズに対応した商品を製造可能な組合せ秤および組合せ計量方法を提供する。【解決手段】被計量物を保持し計量する複数の計量部と、制御装置と、を備え、前記制御装置は、前記計量部に供給された被計量物の重量に基づいて組合せ演算を行い、計量部の組合せのうち組合せ条件を満たすものを最適組合せとして選択する組合せ秤であって、さらに、目標カロリーを設定するためのカロリー設定装置と、被計量物の重量とカロリーとの換算係数であるカロリー換算係数を設定するためのカロリー換算係数設定装置と、を備え、前記制御装置は、前記目標カロリーと前記カロリー換算係数とに基づいて前記組合せ条件を決定する。【選択図】図３
2008058262.tif 000002
【特許請求の範囲】
【請求項１】
被計量物を保持し計量する複数の計量部と、
制御装置と、を備え、
前記制御装置は、前記計量部に供給された被計量物の重量に基づいて組合せ演算を行い、
計量部の組合せのうち組合せ条件を満たすものを最適組合せとして選択する組合せ秤であって、
さらに、目標カロリーを設定するためのカロリー設定装置と、
被計量物の重量とカロリーとの換算係数であるカロリー換算係数を設定するためのカロリー換算係数設定装置と、を備え、
前記制御装置は、前記目標カロリーと前記カロリー換算係数とに基づいて前記組合せ条件を決定する、組合せ秤。
【請求項２】
さらに、目標重量を設定するための重量設定装置と、
組合せ条件を選択するための組合せ条件選択装置とを備え、
前記組合せ条件選択装置は選択された組合せ条件に基づいて組合せ条件選択信号を出力し、
前記制御装置は、前記組合せ条件選択装置から出力された組合せ条件選択信号に基づいて、
前記目標カロリーと前記カロリー換算係数とに基づいて前記組合せ条件を決定して最適組合せの選択を行うカロリー組合せ計量と、
前記目標重量に基づいて前記組合せ条件を決定して最適組合せの選択を行う重量組合せ計量とを択一的に実行する、請求項１に記載の組合せ秤。
【請求項３】
さらに、目標重量を設定するための重量設定装置を備え、
前記制御装置は、前記目標カロリーと前記カロリー換算係数と前記目標重量とに基づいて前記組合せ条件を決定する、請求項１に記載の組合せ秤。
【請求項４】
さらに、目標価格を設定するための価格設定装置と、
被計量物の重量と価格との換算係数である価格換算係数を設定するための価格換算係数設定装置と、
組合せ条件を選択するための組合せ条件選択装置とを備え、
前記組合せ条件選択装置は選択された組合せ条件に基づいて組合せ条件選択信号を出力し、
前記制御装置は、前記組合せ条件選択装置から出力された組合せ条件選択信号に基づいて、
前記目標カロリーと前記カロリー換算係数とに基づいて前記組合せ条件を決定して最適組合せの選択を行うカロリー組合せ計量と、
前記目標価格と前記価格換算係数とに基づいて前記組合せ条件を決定して最適組合せの選択を行う価格組合せ計量とを択一的に実行する、請求項１に記載の組合せ秤。
【請求項５】
さらに、目標価格を設定するための価格設定装置と、
被計量物の重量と価格との換算係数である価格換算係数を設定するための価格換算係数設定装置と、を備え、
前記制御装置は、前記目標カロリーと前記カロリー換算係数と前記目標価格と前記価格換算係数とに基づいて前記組合せ条件を決定する、請求項１に記載の組合せ秤。
【請求項６】
さらに、被計量物の重量と原価との換算係数である原価換算係数を設定するための原価換算係数設定装置を備え、
前記制御装置は、前記目標カロリーと前記カロリー換算係数と前記原価換算係数とに基づいて前記組合せ条件を決定する、請求項１に記載の組合せ秤。
【請求項７】
さらに、目標重量を設定するための重量設定装置と、
目標価格を設定するための価格設定装置と、
被計量物の重量と価格との換算係数である価格換算係数を設定するための価格換算係数設定装置と、を備え、
前記制御装置は、前記目標カロリーと前記カロリー換算係数と前記目標重量と前記目標価格と前記価格換算係数とに基づいて前記組合せ条件を決定する、請求項１に記載の組合せ秤。
【請求項８】
さらに、被計量物の重量と原価との換算係数である原価換算係数を設定するための原価換算係数設定装置を備え、
前記制御装置は、前記目標カロリーと前記カロリー換算係数と前記目標重量と前記目標価格と前記価格換算係数と前記原価換算係数とに基づいて前記組合せ条件を決定する、請求項７に記載の組合せ秤。
【請求項９】
さらに、第１変数の目標値を設定するための第１変数設定装置と、
被計量物の重量と第１変数との換算係数である第１変数換算係数を設定するための第１変数換算係数設定装置と、を備え、
前記制御装置は、前記目標カロリーと前記カロリー換算係数と前記第１変数の目標値と前記第１変数換算係数とに基づいて前記組合せ条件を決定し、
前記第１変数は、価格および重量のいずれか一方である、請求項１に記載の組合せ秤。
【請求項１０】
前記計量部は、載置される被計量物の種類に対応する群に分けられており、
前記カロリー換算係数設定装置は、それぞれの群ごとに前記カロリー換算係数を設定できるように構成されている、請求項１に記載の組合せ秤。
【請求項１１】
さらに、それぞれの群ごとにカロリー構成比率の許容範囲を設定するためのカロリー構成比率設定装置を備え、
前記制御装置は、前記目標カロリーと前記カロリー換算係数と前記カロリー構成比率の許容範囲とに基づいて前記組合せ条件を決定する、請求項１０に記載の組合せ秤。
【請求項１２】
前記計量部は、載置される被計量物の種類に対応する群に分けられており、
前記カロリー換算係数設定装置は、それぞれの群ごとに前記カロリー換算係数を設定できるように構成されており、
前記第１変数換算係数設定装置は、それぞれの群ごとに前記第１変数換算係数を設定できるように構成されており、
前記制御装置は、前記目標カロリーと前記カロリー換算係数と前記第１変数の目標値と前記第１変数換算係数とに基づいて前記組合せ条件を決定する、請求項9に記載の組合せ秤。
【請求項１３】
さらに、それぞれの群ごとにカロリー構成比率の許容範囲を設定するためのカロリー構成比率設定装置と、
それぞれの群ごとに第１変数構成比率の許容範囲を設定するための第１変数構成比率設定装置と、
演算に用いる構成比率を選択するための構成比率選択装置とを備え、
前記構成比率選択装置は選択された構成比率に基づいて構成比率選択信号を出力し、
前記制御装置は、前記構成比率選択装置から出力された構成比率選択信号に基づいて、
前記目標カロリーと前記カロリー換算係数と前記第１変数の目標値と前記第１変数換算係数と前記カロリー構成比率の許容範囲とに基づいて前記組合せ条件を決定して最適組合せの選択を行うカロリー構成比率組合せ計量と、
前記目標カロリーと前記カロリー換算係数と前記第１変数の目標値と前記第１変数換算係数と前記第１変数構成比率の許容範囲とに基づいて前記組合せ条件を決定して最適組合せの選択を行う第１変数構成比率組合せ計量とを択一的に実行する、請求項１２に記載の組合せ秤。
【請求項１４】
さらに、それぞれの群ごとにカロリー構成比率の許容範囲を設定するためのカロリー構成比率設定装置と、
それぞれの群ごとに重量構成比率の許容範囲を設定するための重量構成比率設定装置と、
それぞれの群ごとに価格構成比率の許容範囲を設定するための価格構成比率設定装置と、
演算に用いる構成比率を選択するための構成比率選択装置とを備え、
前記構成比率選択装置は選択された構成比率に基づいて構成比率選択信号を出力し、
前記制御装置は、前記構成比率選択装置から出力された構成比率選択信号に基づいて、
前記目標カロリーと前記カロリー換算係数と前記目標重量と前記目標価格と前記価格換算係数と前記カロリー構成比率の許容範囲とに基づいて前記組合せ条件を決定して最適組合せの選択を行うカロリー構成比率組合せ計量と、
前記目標カロリーと前記カロリー換算係数と前記目標重量と前記目標価格と前記価格換算係数と前記重量構成比率の許容範囲とに基づいて前記組合せ条件を決定して最適組合せの選択を行う重量構成比率組合せ計量と、
前記目標カロリーと前記カロリー換算係数と前記目標重量と前記目標価格と前記価格換算係数と前記価格構成比率の許容範囲とに基づいて前記組合せ条件を決定して最適組合せの選択を行う価格構成比率組合せ計量とを択一的に実行する、請求項７に記載の組合せ秤。
【請求項１５】
さらに、被計量物の重量と原価との換算係数である原価換算係数を設定するための原価換算係数設定装置と、
それぞれの群ごとにカロリー構成比率の許容範囲を設定するためのカロリー構成比率設定装置と、
それぞれの群ごとに重量構成比率の許容範囲を設定するための重量構成比率設定装置と、
それぞれの群ごとに価格構成比率の許容範囲を設定するための価格構成比率設定装置と、
演算に用いる構成比率を選択するための構成比率選択装置とを備え、
前記構成比率選択装置は選択された構成比率に基づいて構成比率選択信号を出力し、
前記制御装置は、前記構成比率選択装置から出力された構成比率選択信号に基づいて、
前記目標カロリーと前記カロリー換算係数と前記目標重量と前記目標価格と前記価格換算係数と前記カロリー構成比率の許容範囲と前記原価とに基づいて前記組合せ条件を決定して最適組合せの選択を行うカロリー構成比率組合せ計量と、
前記目標カロリーと前記カロリー換算係数と前記目標重量と前記目標価格と前記価格換算係数と前記重量構成比率の許容範囲と前記原価とに基づいて前記組合せ条件を決定して最適組合せの選択を行う重量構成比率組合せ計量と、
前記目標カロリーと前記カロリー換算係数と前記目標重量と前記目標価格と前記価格換算係数と前記価格構成比率の許容範囲と前記原価とに基づいて前記組合せ条件を決定して最適組合せの選択を行う価格構成比率組合せ計量とを択一的に実行する、請求項７に記載の組合せ秤。
【請求項１６】
前記計量部は３個以上であって、
前記計量部のうち１個または２個が優先計量部として設定され、
前記制御装置は、前記優先計量部を少なくとも１個含むように最適組合せを選択する、請求項１に記載の組合せ秤。
【請求項１７】
目標カロリーを設定するステップと、
被計量物の重量とカロリーとの換算係数であるカロリー換算係数を設定するステップと、
前記目標カロリーと前記カロリー換算係数とに基づいて前記組合せ条件を決定するステップと、
計量部に供給された被計量物の重量に基づいて組合せ演算を行い計量部の組合せのうち前記組合せ条件を満たすものを最適組合せとして選択するステップとを有する、組合せ計量方法。
【請求項１８】
目標カロリーを設定するステップと、
目標重量を設定するステップと、
目標価格を設定するステップと、
被計量物の重量とカロリーとの換算係数であるカロリー換算係数を設定するステップと、
被計量物の重量と価格との換算係数である価格換算係数を設定するステップと、
被計量物の重量と原価との換算係数である原価換算係数を設定するステップと、
被計量物の種類に対応する群ごとにカロリー構成比率の許容範囲を設定するステップと、
被計量物の種類に対応する群ごとに重量構成比率の許容範囲を設定するステップと、
被計量物の種類に対応する群ごとに価格構成比率の許容範囲を設定するステップと、
前記目標カロリーと前記カロリー換算係数と前記目標重量と前記目標価格と前記価格換算係数と前記カロリー構成比率の許容範囲と原価とに基づいて組合せ条件を決定するか、前記目標カロリーと前記カロリー換算係数と前記目標重量と前記目標価格と前記価格換算係数と前記重量構成比率の許容範囲と原価とに基づいて組合せ条件を決定するか、前記目標カロリーと前記カロリー換算係数と前記目標重量と前記目標価格と前記価格換算係数と前記価格構成比率の許容範囲と原価とに基づいて組合せ条件を決定するかを選択するステップと、
計量部に供給された被計量物の重量に基づいて組合せ演算を行い計量部の組合せのうち前記選択された組合せ条件を満たすものを最適組合せとして選択するステップとを有する、組合せ計量方法。
【発明の詳細な説明】
【技術分野】
【０００１】
本発明は、組合せ秤および組合せ計量方法に関する。より詳しくは、被計量物の重量を他のパラメータに換算して組合せ演算を行う組合せ秤および組合せ計量方法に関する。
【背景技術】
【０００２】
食品等の商品を一定量だけ計量する技術として、特許文献１に開示されているような組合せ秤が広く用いられている。組合せ計量では、一般に、被計量物の重量が所定の条件を満たすように計量が行われる。複数の計量部に被計量物が供給されて計量される。計量が終わると、計量値の合計が所定の条件を満たす計量部の組合せが選択されて、包装機へ排出される。
【０００３】
組合せ計量において、重量以外の条件が設定される場合もある。スーパーマーケット等の小売業においては、重量よりも価格について条件を設定することが便宜な場合がある。被計量物の価格を用いて組合せ演算が行われるものとして、特許文献２に開示された組合せ秤がある。この組合せ秤では、価格の条件が設定され、複数の計量部に被計量物が供給され計量される。計量値と単価に基づいて各計量部に保持された被計量物の価格が演算され、該価格の合計が設定された条件を満たすように計量部の組合せが選択される。
【特許文献１】特開昭５８−１２４９１８号公報
【特許文献２】実公平５−２６９７１号公報
【発明の開示】
【発明が解決しようとする課題】
【０００４】
小売業等においては、消費者のニーズの多様化に伴い、必ずしも重量や価格に基づく商品では売り上げを伸ばすことができない場合があった。
【０００５】
本発明は上記のような課題を解決するためになされたもので、簡便な操作により消費者の多様なニーズに対応した商品を製造可能な組合せ秤および組合せ計量方法を提供することを目的としている。
【課題を解決するための手段】
【０００６】
本発明者は、小売業における計量現場において必要とされる組合せ計量技術を鋭意検討した。その結果、従来のように価格や重量に基づいてパックされた商品では、必ずしも消費者の購買意欲を刺激できない場合があることを発見した。特に近年、消費者の健康志向が高まっており、商品の合計カロリーに留意して購入の是非を決定する消費者が増加しつつあることが注目された。食事制限に基づく減量においては、一日の消費カロリーに目標値を設定することが多い。減量中の消費者にとって、合計カロリーが所望の値に近いセット食品を購入することができれば便利である。こうした背景を踏まえ本発明者は、計量値をカロリーに換算し、カロリーに基づいて組合せ演算を行う組合せ秤に想到した。本発明の組合せ秤によれば、簡便に、消費者のニーズに適合したセット食品を製造できることになる。
【０００７】
上記課題を解決するために、本発明に係る組合せ秤は、被計量物を保持し計量する複数の計量部と、制御装置と、を備え、前記制御装置は、前記計量部に供給された被計量物の重量に基づいて組合せ演算を行い、計量部の組合せのうち組合せ条件を満たすものを最適組合せとして選択する組合せ秤であって、さらに、目標カロリーを設定するためのカロリー設定装置と、被計量物の重量とカロリーとの換算係数であるカロリー換算係数を設定するためのカロリー換算係数設定装置と、を備え、前記制御装置は、前記目標カロリーと前記カロリー換算係数とに基づいて前記組合せ条件を決定する。
【０００８】
かかる構成では、各計量皿に載置された被計量物の計量値に基づいて、組合せ合計カロリーが目標値に略等しい組合せが容易に選択できる。よって、簡便な操作により消費者の多様なニーズに対応した商品が製造可能となる。
【０００９】
上記組合せ秤において、さらに、目標重量を設定するための重量設定装置と、組合せ条件を選択するための組合せ条件選択装置とを備え、前記組合せ条件選択装置は選択された組合せ条件に基づいて組合せ条件選択信号を出力し、前記制御装置は、前記組合せ条件選択装置から出力された組合せ条件選択信号に基づいて、前記目標カロリーと前記カロリー換算係数とに基づいて前記組合せ条件を決定して最適組合せの選択を行うカロリー組合せ計量と、前記目標重量に基づいて前記組合せ条件を決定して最適組合せの選択を行う重量組合せ計量とを択一的に実行してもよい。
【００１０】
かかる構成では、各計量皿に載置された被計量物の計量値に基づいて、組合せ合計カロリーまたは組合せ合計重量が目標値に略等しい組合せが容易に選択できる。よって、簡便な操作により消費者の多様なニーズに対応した商品が製造可能となる。
【００１１】
上記組合せ秤において、さらに、目標重量を設定するための重量設定装置を備え、前記制御装置は、前記目標カロリーと前記カロリー換算係数と前記目標重量とに基づいて前記組合せ条件を決定してもよい。
【００１２】
かかる構成では、各計量皿に載置された被計量物の計量値に基づいて、組合せ合計カロリーおよび組合せ合計重量が目標値に略等しい組合せが容易に選択できる。よって、簡便な操作により消費者の多様なニーズに対応した商品が製造可能となる。
【００１３】
上記組合せ秤において、さらに、目標価格を設定するための価格設定装置と、被計量物の重量と価格との換算係数である価格換算係数を設定するための価格換算係数設定装置と、組合せ条件を選択するための組合せ条件選択装置とを備え、前記組合せ条件選択装置は選択された組合せ条件に基づいて組合せ条件選択信号を出力し、前記制御装置は、前記組合せ条件選択装置から出力された組合せ条件選択信号に基づいて、前記目標カロリーと前記カロリー換算係数とに基づいて前記組合せ条件を決定して最適組合せの選択を行うカロリー組合せ計量と、前記目標価格と前記価格換算係数とに基づいて前記組合せ条件を決定して最適組合せの選択を行う価格組合せ計量とを択一的に実行してもよい。
【００１４】
かかる構成では、各計量皿に載置された被計量物の計量値に基づいて、組合せ合計カロリーまたは組合せ合計価格が目標値に略等しい組合せが容易に選択できる。よって、簡便な操作により消費者の多様なニーズに対応した商品が製造可能となる。
【００１５】
上記組合せ秤において、さらに、目標価格を設定するための価格設定装置と、被計量物の重量と価格との換算係数である価格換算係数を設定するための価格換算係数設定装置と、を備え、前記制御装置は、前記目標カロリーと前記カロリー換算係数と前記目標価格と前記価格換算係数とに基づいて前記組合せ条件を決定してもよい。
【００１６】
かかる構成では、各計量皿に載置された被計量物の計量値に基づいて、組合せ合計カロリーおよび組合せ合計価格が目標値に略等しい組合せが容易に選択できる。よって、簡便な操作により消費者の多様なニーズに対応した商品が製造可能となる。
【００１７】
上記組合せ秤において、さらに、被計量物の重量と原価との換算係数である原価換算係数を設定するための原価換算係数設定装置を備え、前記制御装置は、前記目標カロリーと前記カロリー換算係数と前記原価換算係数とに基づいて前記組合せ条件を決定してもよい。
【００１８】
かかる構成では、各計量皿に載置された被計量物の計量値に基づいて、組合せ合計カロリーが目標値に略等しく、かつ原価の低い組合せが容易に選択できる。よって、簡便な操作により消費者の多様なニーズに対応した商品が製造可能となる。
【００１９】
上記組合せ秤において、さらに、目標重量を設定するための重量設定装置と、目標価格を設定するための価格設定装置と、被計量物の重量と価格との換算係数である価格換算係数を設定するための価格換算係数設定装置と、を備え、前記制御装置は、前記目標カロリーと前記カロリー換算係数と前記目標重量と前記目標価格と前記価格換算係数とに基づいて前記組合せ条件を決定してもよい。
【００２０】
かかる構成では、各計量皿に載置された被計量物の計量値に基づいて、組合せ合計カロリーと組合せ合計重量と組合せ合計価格が目標値に略等しい組合せが容易に選択できる。よって、簡便な操作により消費者の多様なニーズに対応した商品が製造可能となる。なお、ここでいう「価格」は販売価格でも原価でもよい。
【００２１】
上記組合せ秤において、さらに、被計量物の重量と原価との換算係数である原価換算係数を設定するための原価換算係数設定装置を備え、前記制御装置は、前記目標カロリーと前記カロリー換算係数と前記目標重量と前記目標価格と前記価格換算係数と前記原価換算係数とに基づいて前記組合せ条件を決定してもよい。
【００２２】
かかる構成では、各計量皿に載置された被計量物の計量値に基づいて、組合せ合計カロリーと組合せ合計重量と組合せ合計価格が目標値に略等しく、かつ原価の低い組合せが容易に選択できる。よって、簡便な操作により消費者の多様なニーズに対応した商品が製造可能となる。
【００２３】
上記組合せ秤において、さらに、第１変数の目標値を設定するための第１変数設定装置と、被計量物の重量と第１変数との換算係数である第１変数換算係数を設定するための第１変数換算係数設定装置と、を備え、前記制御装置は、前記目標カロリーと前記カロリー換算係数と前記第１変数の目標値と前記第１変数換算係数とに基づいて前記組合せ条件を決定し、前記第１変数は、価格および重量のいずれか一方であってもよい。
【００２４】
かかる構成では、各計量皿に載置された被計量物の計量値に基づいて、組合せ合計カロリーおよび組合せ合計価格、または組合せ合計カロリーおよび組合せ合計重量、が目標値に略等しい組合せが容易に選択できる。よって、簡便な操作により消費者の多様なニーズに対応した商品が製造可能となる。
【００２５】
上記組合せ秤において、前記計量部は、載置される被計量物の種類に対応する群に分けられており、前記カロリー換算係数設定装置は、それぞれの群ごとに前記カロリー換算係数を設定できるように構成されていてもよい。
【００２６】
かかる構成では、被計量物の種類に応じ、各計量皿に載置された被計量物の計量値からカロリー値を演算し、組合せ合計カロリーが目標値に略等しい組合せが容易に選択できる。よって、簡便な操作により消費者の多様なニーズに対応した商品が製造可能となる。
【００２７】
上記組合せ秤において、さらに、それぞれの群ごとにカロリー構成比率の許容範囲を設定するためのカロリー構成比率設定装置を備え、前記制御装置は、前記目標カロリーと前記カロリー換算係数と前記カロリー構成比率の許容範囲とに基づいて前記組合せ条件を決定してもよい。
【００２８】
かかる構成では、各群について、カロリー構成比率が所定の条件を満たす組合せが得られる。よって、バランスのよいセット食品が容易に製造可能となる。また、簡便な操作により消費者の多様なニーズに対応した商品が製造可能となる。
【００２９】
上記組合せ秤において、前記計量部は、載置される被計量物の種類に対応する群に分けられており、前記カロリー換算係数設定装置は、それぞれの群ごとに前記カロリー換算係数を設定できるように構成されており、前記第１変数換算係数設定装置は、それぞれの群ごとに前記第１変数換算係数を設定できるように構成されており、前記制御装置は、前記目標カロリーと前記カロリー換算係数と前記第１変数の目標値と前記第１変数換算係数とに基づいて前記組合せ条件を決定してもよい。
【００３０】
かかる構成では、各群について、カロリー構成比率が所定の条件を満たす組合せが得られる。よって、バランスのよいセット食品が容易に製造可能となる。また、簡便な操作により消費者の多様なニーズに対応した商品が製造可能となる。
【００３１】
上記組合せ秤において、さらに、それぞれの群ごとにカロリー構成比率の許容範囲を設定するためのカロリー構成比率設定装置と、それぞれの群ごとに第１変数構成比率の許容範囲を設定するための第１変数構成比率設定装置と、演算に用いる構成比率を選択するための構成比率選択装置とを備え、前記構成比率選択装置は選択された構成比率に基づいて構成比率選択信号を出力し、前記制御装置は、前記構成比率選択装置から出力された構成比率選択信号に基づいて、前記目標カロリーと前記カロリー換算係数と前記第１変数の目標値と前記第１変数換算係数と前記カロリー構成比率の許容範囲とに基づいて前記組合せ条件を決定して最適組合せの選択を行うカロリー構成比率組合せ計量と、前記目標カロリーと前記カロリー換算係数と前記第１変数の目標値と前記第１変数換算係数と前記第１変数構成比率の許容範囲とに基づいて前記組合せ条件を決定して最適組合せの選択を行う第１変数構成比率組合せ計量とを択一的に実行してもよい。
【００３２】
かかる構成では、各群について、カロリー構成比率または第１変数構成比率が所定の条件を満たす組合せが得られる。よって、バランスのよいセット食品が容易に製造可能となる。また、簡便な操作により消費者の多様なニーズに対応した商品が製造可能となる。
【００３３】
上記組合せ秤において、さらに、それぞれの群ごとにカロリー構成比率の許容範囲を設定するためのカロリー構成比率設定装置と、それぞれの群ごとに重量構成比率の許容範囲を設定するための重量構成比率設定装置と、それぞれの群ごとに価格構成比率の許容範囲を設定するための価格構成比率設定装置と、演算に用いる構成比率を選択するための構成比率選択装置とを備え、前記構成比率選択装置は選択された構成比率に基づいて構成比率選択信号を出力し、前記制御装置は、前記構成比率選択装置から出力された構成比率選択信号に基づいて、前記目標カロリーと前記カロリー換算係数と前記目標重量と前記目標価格と前記価格換算係数と前記カロリー構成比率の許容範囲とに基づいて前記組合せ条件を決定して最適組合せの選択を行うカロリー構成比率組合せ計量と、前記目標カロリーと前記カロリー換算係数と前記目標重量と前記目標価格と前記価格換算係数と前記重量構成比率の許容範囲とに基づいて前記組合せ条件を決定して最適組合せの選択を行う重量構成比率組合せ計量と、前記目標カロリーと前記カロリー換算係数と前記目標重量と前記目標価格と前記価格換算係数と前記価格構成比率の許容範囲とに基づいて前記組合せ条件を決定して最適組合せの選択を行う価格構成比率組合せ計量とを択一的に実行してもよい。
【００３４】
かかる構成では、各群について、カロリー構成比率と重量構成比率と価格構成比率のいずれかが所定の条件を満たす組合せが得られる。よって、バランスのよいセット食品が容易に製造可能となる。また、簡便な操作により消費者の多様なニーズに対応した商品が製造可能となる。なお、ここでいう「価格」は販売価格でも原価でもよい。
【００３５】
上記組合せ秤において、さらに、被計量物の重量と原価との換算係数である原価換算係数を設定するための原価換算係数設定装置と、それぞれの群ごとにカロリー構成比率の許容範囲を設定するためのカロリー構成比率設定装置と、それぞれの群ごとに重量構成比率の許容範囲を設定するための重量構成比率設定装置と、それぞれの群ごとに価格構成比率の許容範囲を設定するための価格構成比率設定装置と、演算に用いる構成比率を選択するための構成比率選択装置とを備え、前記構成比率選択装置は選択された構成比率に基づいて構成比率選択信号を出力し、前記制御装置は、前記構成比率選択装置から出力された構成比率選択信号に基づいて、前記目標カロリーと前記カロリー換算係数と前記目標重量と前記目標価格と前記価格換算係数と前記カロリー構成比率の許容範囲と前記原価とに基づいて前記組合せ条件を決定して最適組合せの選択を行うカロリー構成比率組合せ計量と、前記目標カロリーと前記カロリー換算係数と前記目標重量と前記目標価格と前記価格換算係数と前記重量構成比率の許容範囲と前記原価とに基づいて前記組合せ条件を決定して最適組合せの選択を行う重量構成比率組合せ計量と、前記目標カロリーと前記カロリー換算係数と前記目標重量と前記目標価格と前記価格換算係数と前記価格構成比率の許容範囲と前記原価とに基づいて前記組合せ条件を決定して最適組合せの選択を行う価格構成比率組合せ計量とを択一的に実行してもよい。
【００３６】
かかる構成では、各群について、カロリー構成比率と重量構成比率と価格構成比率のいずれかが所定の条件を満たし、かつ原価も低い組合せが得られる。よって、バランスのよいセット食品が容易にかつ経済的に製造可能となる。また、簡便な操作により消費者の多様なニーズに対応した商品が製造可能となる。
【００３７】
上記組合せ秤において、前記計量部は３個以上であって、前記計量部のうち１個または２個が優先計量部として設定され、前記制御装置は、前記優先計量部を少なくとも１個含むように最適組合せを選択してもよい。
【００３８】
かかる構成では、処理したい被計量物を優先計量皿に載置することで、必ず該被計量物を含んだ商品が得られるため、便利である。
【００３９】
また、上記課題を解決するために、本発明の組合せ計量方法は、目標カロリーを設定するステップと、被計量物の重量とカロリーとの換算係数であるカロリー換算係数を設定するステップと、前記目標カロリーと前記カロリー換算係数とに基づいて前記組合せ条件を決定するステップと、計量部に供給された被計量物の重量に基づいて組合せ演算を行い計量部の組合せのうち前記組合せ条件を満たすものを最適組合せとして選択するステップとを有する。
【００４０】
かかる構成では、各計量皿に載置された被計量物の計量値に基づいて、組合せ合計カロリーが目標値に略等しい組合せが容易に選択できる。よって、簡便な操作により消費者の多様なニーズに対応した商品が製造可能となる。
【００４１】
また、本発明の組合せ計量方法は、目標カロリーを設定するステップと、目標重量を設定するステップと、目標価格を設定するステップと、被計量物の重量とカロリーとの換算係数であるカロリー換算係数を設定するステップと、被計量物の重量と価格との換算係数である価格換算係数を設定するステップと、被計量物の重量と原価との換算係数である原価換算係数を設定するステップと、被計量物の種類に対応する群ごとにカロリー構成比率の許容範囲を設定するステップと、被計量物の種類に対応する群ごとに重量構成比率の許容範囲を設定するステップと、被計量物の種類に対応する群ごとに価格構成比率の許容範囲を設定するステップと、前記目標カロリーと前記カロリー換算係数と前記目標重量と前記目標価格と前記価格換算係数と前記カロリー構成比率の許容範囲と原価とに基づいて組合せ条件を決定するか、前記目標カロリーと前記カロリー換算係数と前記目標重量と前記目標価格と前記価格換算係数と前記重量構成比率の許容範囲と原価とに基づいて組合せ条件を決定するか、前記目標カロリーと前記カロリー換算係数と前記目標重量と前記目標価格と前記価格換算係数と前記価格構成比率の許容範囲と原価とに基づいて組合せ条件を決定するかを選択するステップと、計量部に供給された被計量物の重量に基づいて組合せ演算を行い計量部の組合せのうち前記選択された組合せ条件を満たすものを最適組合せとして選択するステップとを有する。
【００４２】
かかる構成では、各群について、カロリー構成比率と重量構成比率と価格構成比率のいずれかが所定の条件を満たし、かつ原価も低い組合せが得られる。よって、バランスのよいセット食品が容易にかつ経済的に製造可能となる。また、簡便な操作により消費者の多様なニーズに対応した商品が製造可能となる。
【００４３】
上述の説明において「価格」と「原価」という２つの用語が用いられている。両者の意義につき、原則として「価格」には「販売価格」と「原価」の両方が含まれるものとする。ただし、「価格」と「原価」の両方が同時に組合せ条件に用いられる場合には「価格」には「原価」が含まれないこととしてもよい。
【発明の効果】
【００４４】
本発明は、上述のような構成を有しており、以下のような効果を奏する。すなわち、簡便な操作により消費者の多様なニーズに対応した商品を製造可能な組合せ秤および組合せ計量方法を提供することが可能となる。
【発明を実施するための最良の形態】
【００４５】
以下、本発明の実施の形態を、図面を参照しながら説明する。
（第１実施形態）
第１実施形態の組合せ秤および組合せ計量方法は、被計量物を組合せてカロリーが略一定となる食品パックを製造するためのものである。
［装置構成］
図１は、本発明の第１実施形態の組合せ秤の概略構成の一例を示す斜視図である。以下、図１を参照しながら、本実施形態の組合せ秤のハードウェア構成について説明する。
【００４６】
図１に示す通り、本実施形態に係る組合せ秤１０は、本体１１と、計量皿１２（計量部）と、指示灯１３（計量部指示灯）と、入出力装置１４を備えたパネル部２０とを備えている。本体１１は平たい箱状であって、その上面には計量皿１２が、本体１１の長手方向に沿って、２列に並んで配設されている。計量皿１２の数は１列あたり６枚であり、計量皿の合計数は１２枚となっている。本体１１の上面には、２列に並んだ計量皿１２の隙間に、各計量皿１２に対応して合計１２個の指示灯１３が配設されている。本体１１の長手方向の一方の端には、パネル部２０が配設されている。パネル部２０は平たい箱状であって、一方の主面上に入出力装置１４が配設されている。パネル部２０の内部には、制御基板１５（制御装置）が格納されている。
【００４７】
計量皿１２は、例えばステンレス製の皿をロードセル（図示せず）により支持した構成とすることができる。指示灯１３には、例えば発光ダイオードや電球等を用いることができる。入出力装置１４には、例えばタッチパネルが用いられる。本実施形態では、入出力装置を一体に構成したが、入力装置と出力装置を別個に設けてもよく、複数の入力装置あるいは出力装置を設けてもよい。入力装置はボタンやマイク等であってもよい。出力装置は液晶やブザー、スピーカ等であってもよい。制御基板１５は複数設けられていてもよい。すなわち、制御装置による制御は、集中制御であっても分散制御であってもよい。複数の制御装置がそれぞれ異なる機能を有していてもよい。
【００４８】
図２は、本発明の第１実施形態の組合せ秤の制御系統の一例を示すブロック図である。以下、図２を参照しながら、本実施形態の組合せ秤の制御系統について説明する。
【００４９】
図２に示す通り、本実施形態に係る組合せ秤１０の制御系統は、制御基板１５と、入出力装置１４と、指示灯１３１〜１２と、計量皿１２１〜１２と、を有している。制御基板１５は、制御部１６と、記憶部１７と、指示灯駆動回路１８と、Ａ／Ｄ変換回路１９と、を有している。制御部１６には、例えばＣＰＵが用いられる。記憶部１７には、例えば内部メモリが用いられる。制御部１６と記憶部１７、制御部１６と入出力装置１４、は相互に通信可能に接続されている。指示灯駆動回路１８は、制御部１６からの指令に基づいて指示灯１３１〜１２を点灯／消灯できるように、制御部１６および指示灯１３１〜１２と接続されている。Ａ／Ｄ変換回路１９は、計量皿１２１〜１２が検出結果に基づいて出力するアナログ信号をデジタル信号に変換し、制御部１６へと転送できるように、制御部１６と計量皿１２１〜１２に接続されている。図中の矢印は信号が伝達される方向を示す。
【００５０】
以下、図２を参照しながら、制御基板１５の動作の概略について説明する。使用者の操作により、組合せ条件を決定するためのパラメータ等が、入出力装置１４から制御部１６へ入力される。制御部１６は、受け取ったパラメータ等を記憶部１７に記憶させる。記憶されたパラメータ等は、制御部１６によって読み出され、必要に応じて入出力装置１４に出力され、使用者によって確認される。また、記憶部１７には、組合せ条件を決定するためのプログラムや組合せ演算を行うためのプログラム等も記憶されている。計量皿１２１〜１２は、それぞれが保持する被計量物の重量を検出して、検出結果をＡ／Ｄ変換回路１９へ送る。計量皿１２１〜１２から送られた検出結果は、Ａ／Ｄ変換回路１９により検出値（デジタル信号）へと変換されて、制御部１６へと送られる。制御部１６は、受け取った検出値と、記憶部１７に記憶されたプログラムを用いて、最適組合せに参加する計量皿１２１〜１２を決定する。最適組合せが制御部１６により選択されると、制御部１６の指令により、最適組合せに参加する計量皿１２１〜１２に対応する指示灯１３１〜１２が指示灯駆動回路１８を介して点灯される。制御部１６は、必要に応じて、処理結果を入出力装置１４に出力する。制御基板１５は、以上の方法により、組合せ秤を運転する。
［動作］
図３は、本発明の第１実施形態の組合せ秤を用いた組合せ計量方法の一例を概略的に示すフローチャートである。以下、本実施形態の組合せ秤１０を用いた計量方法の概略について、図１および図３を参照しつつ説明する。なお、以下の説明では、被計量物がミックスサラダである場合を例として説明する。
【００５１】
組合せ秤を起動すると（スタート）、まずパラメータの入力が行われる（ステップＳ１０１）。すなわち、作業者が入出力装置１４を操作することにより、カロリー換算係数（例えば、０．２ｋｃａｌ／ｇ）、組合せ目標カロリー（組合せ合計カロリーの目標値：例えば、８０ｋｃａｌ）、組合せ合計カロリーの下限値（例えば、０ｋｃａｌ）、組合せ合計カロリーの上限値（例えば、＋２ｋｃａｌ）が設定される。下限値および上限値とは許容範囲の下限値および上限値を目標値からの差で示したものである（以下同様）。上述の例では、組合せ合計カロリーの許容範囲は、８０ｋｃａｌ以上８２ｋｃａｌ以下となる。なお、許容範囲には閾値を含めなくともよい。
【００５２】
ステップＳ１０１が終わると、作業者はミックスサラダを一つかみずつ、空の計量皿１２の上に載荷する（ステップＳ１０２）。
【００５３】
ステップＳ１０２が終わると、制御基板１５は、それぞれの計量皿１２からミックスサラダの重量の検出結果（計量値）を受け取り、受け取られた計量値のうち値の安定しているものを選別して、カロリー換算係数に基づきカロリー値へと換算する（ステップＳ１０３）。
【００５４】
ステップＳ１０３が終わると、制御基板１５により、得られたカロリー値を用いて、計量皿の組合せそれぞれについて組合せ合計カロリー（組合せに参加する計量皿について得られたカロリー値の合計）が演算される（ステップＳ１０４）。すなわち、全ての計量値が安定している場合には、１２個の計量皿から１個乃至１２個を取り出す組合せのそれぞれについて、組合せ合計カロリーが演算される。
【００５５】
ステップＳ１０４が終わると、制御基板１５により、組合せ合計カロリーが許容範囲内にある組合せがあるか否かの判定が行われる（ステップＳ１０５）。
【００５６】
ステップＳ１０５においてＹＥＳと判定されると、制御基板１５により、組合せ合計カロリーが許容範囲内にある組合せのうち合計カロリーが目標値に最も近い組合せが最適組合せとして選択される（ステップＳ１０６）。
【００５７】
ステップＳ１０６が終わると、最適組合せに参加する計量皿に対応する指示灯が点灯される（ステップＳ１０７）。作業者は、点灯している指示灯に対応する計量皿からミックスサラダを集めて包装することで、合計カロリーが目標値に略等しい商品を製造することができる。ステップＳ１０７の後はステップＳ１０２に戻る。なお、実際には被計量物の載置（ステップＳ１０２）と組合せ演算と演算結果の表示（ステップＳ１０３〜Ｓ１０７）は同時に並行して進められるのが好ましい。かかる動作により、作業者は任意のタイミングで被計量物の載置と、取り出しとを行うことが可能となる。
【００５８】
ステップＳ１０５においてＮＯと判定されると、入出力装置１４にエラー表示がされる（ステップＳ１０８）。エラー表示がされれば、作業者により計量皿の上の被計量物が載せ替えられ（ステップＳ１０９）、ステップＳ１０３へと戻る。
［効果］
本実施形態の組合せ秤によれば、各計量皿に載置された被計量物の計量値に基づいて、組合せ合計カロリーが目標値に略等しい組合せが容易に選択できる。よって、簡便な操作により消費者の多様なニーズに対応した商品（略等カロリーの食品パック）が製造可能となる。
［変形例］
本実施形態において、組合せ合計カロリーが満たすべき条件（目標カロリー）は、組合せ目標カロリーと、組合せ目標カロリーの上限値と、組合せ目標カロリーの下限値の３つの値により特定される。しかし、目標カロリーは１個の目標値で特定されてもよく、あるいは上限および下限の２つの値で特定されてもよい。組合せ合計カロリーが満たすべき条件を特定可能なものであれば、目標カロリーはどのように設定されてもよい。以下、他のパラメータについても同様である。
【００５９】
本実施形態において入出力装置１４は、目標カロリーを設定するためのカロリー設定装置と、カロリー換算係数を設定するためのカロリー換算係数設定装置とを兼ねるが、カロリー設定装置とカロリー換算係数設定装置とはそれぞれ独立した装置であってもよい。このように、入出力装置１４はさまざまな機能を果たすが、それぞれの機能は独立しており、独立して設けられた装置にいずれの機能を実現させるかは任意である（以下同様）。
【００６０】
パネル部２０の側面に、ラベルプリンタ（印字装置：図示せず）の接続ポート（送信装置）を配設してもよい。制御基板にＩ／Ｏ回路を設け、制御部が出力する印字用データ（重量、価格等）を接続ポートを介してラベルプリンタに転送できるように、Ｉ／Ｏ回路と接続ポートと接続されてもよい。かかる構成においては、接続ポートにラベルプリンタを接続すると、制御部が必要に応じて処理結果を接続ポートに出力することで、ラベルプリンタにより演算結果（組合せ合計カロリーや組合せ合計重量など）が印字可能となる。
【００６１】
計量皿のうち特定の１枚あるいは２枚を優先計量皿（優先計量部）とし、強制的に最適組合せに参加させてもよい。かかる構成では、処理したい被計量物を優先計量皿に載置することで、必ず該被計量物を含んだ商品が得られるため、便利である。
【００６２】
上述の説明では、計量値から換算されたカロリーを用いた演算による最適組合せの選択（カロリー組合せ計量）のみが行われる構成であったが、重量（計量値）を用いた演算による最適組合せの選択（重量組合せ計量）とカロリー組合せ計量とを選択的に実行可能としてもよい。かかる場合には、入出力装置１４が、目標重量（例えば、組合せ目標重量、組合せ目標重量の上限値、組合せ目標重量の下限値）を設定するための重量設定装置、およびカロリー組合せ計量を実行するか重量組合せ計量を実行するか（組合せ条件）を選択するための組合せ条件選択装置となる。なお、組合せ条件とは多数の組合せから最適なものを選別するための方法ないし条件をいう。例えばカロリー組合せ計量では、計量値はカロリー換算係数を用いてカロリー値に換算され、組合せ合計カロリーが組合せ目標カロリーに近いものが選別される。よって、カロリー換算係数と目標カロリーに基づいて組合せ条件が決定されるといえる。入出力装置１４は、作業者から入力された組合せ条件についての選択に基づいて、組合せ条件選択信号を制御基板１５へと出力する。制御基板１５は、受け取った組合せ条件選択信号に基づいて、カロリー組合せ計量と重量組合せ計量とを択一的に実行する。かかる構成によれば使用者は、カロリーまたは重量に基づく組合せ計量を任意に選択して実行できるため、便利である。なお、重量を用いた組合せについては、計量値をそのまま組合せ演算に用いることができる点を除けば図３とほぼ同様であるため、説明を省略する。
【００６３】
カロリー組合せ計量と、計量値から換算された価格（販売価格あるいは原価）を用いた演算による最適組合せの選択（価格組合せ計量）とを選択的に実行可能としてもよい。かかる場合には、入出力装置１４が、計量値と価格との換算係数（価格換算係数）を設定するための価格換算係数設定装置、目標価格（例えば、組合せ目標価格、組合せ目標価格の上限値、組合せ目標価格の下限値）を設定するための価格設定装置、およびカロリー組合せ計量を実行するか価格組合せ計量を実行するか（組合せ条件）を選択するための組合せ条件選択装置となる。入出力装置１４は、作業者から入力された組合せ条件についての選択に基づいて、組合せ条件選択信号を制御基板１５へと出力する。制御基板１５は、受け取った組合せ条件選択信号に基づいて、カロリー組合せ計量と価格組合せ計量とを択一的に実行する。かかる構成によれば使用者は、カロリーまたは価格に基づく組合せ計量を任意に選択して実行できるため、便利である。なお、価格を用いた組合せについては図３とほぼ同様であるため、説明を省略する。
【００６４】
計量値から換算された原価を用いた選別を組合せてもよい。かかる場合には、入出力装置１４が、計量値と原価との換算係数（原価換算係数）を設定するための原価換算係数設定装置となる。計量値は原価に換算されて各組合せについて組合せ合計原価が演算される。組合せ合計カロリーが許容範囲内にある組合せのうち、最も組合せ合計原価が低くなる組合せが最適組み合わせとして選択される。かかる構成によれば、組合せ合計カロリーが許容範囲内にありながら、原価が最も低い商品が製造可能となる。
（第２実施形態）
第２実施形態の組合せ秤および組合せ計量方法は、計量皿を複数のブロックに分けて、複数種類の被計量物を組合せてカロリーが略一定となるセット食品を製造するためのものである。また、セット中において各種類の被計量物に偏りを防止すべく、種類ごとの構成比率（各ブロックに属する計量皿の合計カロリー等が組合せ合計カロリー等に占める割合）が所定の条件を満たすように組合せが決定される。
［装置構成］
第２実施形態の組合せ秤の装置構成は、外見や回路構成上は第１実施形態と同様であるので説明を省略する。なお、本実施形態の組合せ秤では、計量皿が４枚ずつ計３つのブロック（群）に分けられており、それぞれに異なる被計量物が載置される。以下、それぞれのブロックをブロックＡ、ブロックＢ、ブロックＣとする。制御装置は、それぞれのブロック毎にパラメータを別個に記憶できるように構成されている。
［動作］
図４は、本発明の第２実施形態の組合せ秤を用いた組合せ計量方法の一例を概略的に示すフローチャートである。以下、本実施形態の組合せ秤を用いた計量方法の概略について、図１および図４を参照しつつ説明する。なお、以下の説明では、被計量物がレタスとタマネギとコーンである場合を例として説明する。
【００６５】
組合せ秤を起動すると（スタート）、まずパラメータの入力が行われる（ステップＳ２０１）。すなわち、作業者が入出力装置１４を操作することにより、組合せ目標カロリー（例えば、８０ｋｃａｌ）と、組合せ合計カロリーの下限値（例えば、０ｋｃａｌ）と、組合せ合計カロリーの上限値（例えば、＋２ｋｃａｌ）とが設定される。また、３つのブロックのそれぞれについて、カロリー換算係数（例えば、ブロックＡ（レタス）につき０．１３ｋｃａｌ／ｇ、ブロックＢ（タマネギ）につき０．３５ｋｃａｌ／ｇ、ブロックＣ（コーン）につき０．１１ｋｃａｌ／ｇ）と、カロリー構成比率下限値（例えば、ブロックＡ（レタス）につき６０％、ブロックＢ（タマネギ）につき１０％、ブロックＣ（コーン）につき１０％）とが設定される。カロリー構成比率下限値はカロリー構成比率の許容範囲である。すなわち入力装置１４は、カロリー構成比率の許容範囲を設定するためのカロリー構成比率設定装置を兼ねる。
【００６６】
ステップＳ２０１が終わると作業者は、レタス、タマネギ、コーンを一つかみずつ、それぞれブロックＡ、Ｂ、Ｃに属する計量皿１２の上に載荷する（ステップＳ２０２）。
【００６７】
制御基板１５は、それぞれの計量皿１２から被計量物（レタス、タマネギ、コーン）の重量の検出結果（計量値）を受け取る。受け取られた計量値のうち値の安定しているものが選別される。選択された計量値は、該計量値が属するブロックのカロリー換算係数を用いてカロリー値に換算される（ステップＳ２０３）。
【００６８】
ステップＳ２０３が終わると制御基板１５は、各ブロックから少なくとも一つの計量皿を取り出す各組合せについて、組合せ合計カロリーと、各ブロックのカロリー構成比率とを演算する（ステップＳ２０４）。例えば、ある組合せについて、組合せ合計ｋｃａｌが８０．３ｋｃａｌであり、ブロックＡに属する計量皿の合計カロリー（レタスの合計カロリー）が５０．４ｋｃａｌである場合、該組合せについてのブロックＡのカロリー構成比率は６２．８％となる。
【００６９】
ステップＳ２０４が終わると制御基板１５は、少なくとも一つのブロックにおいてカロリー構成比率が、それぞれのブロックに対応するカロリー構成比率の下限値よりも低くなっている組合せを除外する（ステップＳ２０５）。例えばある組合せについて、ブロックＢについての構成比率が９．５％である場合には、該構成比率がブロックＢのカロリー構成比率の下限値（１０％）を下回っているため、最適組合せの候補から除外される。
【００７０】
ステップＳ２０５が終わると制御基板１５は、残った組合せのうち、組合せ合計カロリーが許容範囲内にある組合せがあるか否かの判定を行う（ステップＳ２０６）。
【００７１】
ステップＳ２０６においてＹＥＳと判定されると、制御基板１５により、残った組合せのうち、組合せ合計カロリーが組合せ目標カロリーに最も近い組合せが最適組合せとして選択され（ステップＳ２０７）、最適組合せに参加する計量皿に対応する指示灯が点灯される（ステップＳ２０８）。作業者は、点灯している指示灯に対応する計量皿から被計量物を集めて包装することで、合計カロリーが目標値に略等しい商品（レタスとタマネギとコーンからなるサラダ）を製造することができる。ステップＳ２０８の後はステップＳ２０２に戻る。なお、実際には被計量物の載置（ステップＳ２０２）と組合せ演算と演算結果の表示（ステップＳ２０３〜Ｓ２０８）は同時に並行して進められるのが好ましい。かかる動作により、作業者は任意のタイミングで被計量物の載置と、取り出しとを行うことが可能となる。
【００７２】
ステップＳ２０６においてＮＯと判定されると、入出力装置１４にエラー表示がされる（ステップＳ２０９）。エラー表示がされれば、作業者により計量皿の上の被計量物が載せ替えられ（ステップＳ２１０）、ステップＳ２０３へと戻る。
［効果］
本実施形態の組合せ秤によれば、第１実施形態と同様な効果が得られると共に、以下のような効果が得られる。
【００７３】
すなわち、被計量物の種類に応じ、各計量皿に載置された被計量物の計量値からカロリー値を演算し、組合せ合計カロリーが目標値に略等しい組合せが容易に選択できる。よって、簡便な操作により消費者の多様なニーズに対応した商品（複数種類の物品からなる略等カロリーのセット食品）が製造可能となる。
【００７４】
また、各ブロックについて、カロリー構成比率が所定の条件を満たす組合せが得られる。よって、バランスのよいセット食品が容易に製造可能となる。
［変形例］
本実施形態においても、第１実施形態と同様の変形例が可能である。
【００７５】
なお、構成比率による選別は必須ではなく、省略してもよい。すなわち、それぞれのブロックの被計量物の構成比率に条件を設けなくてもよい。かかる構成でも、簡便な操作により消費者の多様なニーズに対応した商品（複数種類の物品からなる略等カロリーのセット食品）が製造可能となる。
【００７６】
上述の説明では、カロリー構成比率の許容範囲は下限値のみで設定されるものとしたが、下限値と上限値で設定されてもよい。カロリー構成比率に目標値が設定されてもよい。
【００７７】
ブロックの数および各ブロックに属する計量皿の枚数は、使用者により設定可能であってもよい。例えば、ステップＳ２０１においてブロックの数、各ブロックに属する計量皿の位置および個数を設定することとしてもよい。
（第３実施形態）
第３実施形態の組合せ秤および組合せ計量方法は、計量皿を複数のブロックに分け、複数種類の被計量物を組合せてカロリーと重量（あるいは価格）が略一定となるセット食品を製造するためのものである。また、セット中において各種類の被計量物に偏りを防止すべく、種類ごとの構成比率についても所定の条件が満たされるように組合せが決定される。
［装置構成］
第３実施形態の組合せ秤の装置構成は、第２実施形態と同様であるので説明を省略する。［動作］
図５は、本発明の第３実施形態の組合せ秤を用いた組合せ計量方法の一例を概略的に示すフローチャートである。以下、本実施形態の組合せ秤を用いた計量方法の概略について、図１および図５を参照しつつ説明する。なお、以下の説明では、被計量物がレタスとタマネギとコーンである場合を例として説明する。
【００７８】
組合せ秤を起動すると（スタート）、まずパラメータの入力が行われる（ステップＳ３０１〜Ｓ３０２）。ステップＳ３０１については、第２実施形態のステップＳ２０１と同様であるので説明を省略する。ステップＳ３０１が終わると、作業者が入出力装置１４を操作することにより、組合せ目標重量（組合せ合計重量の目標値、以下同様：例えば、１００ｇ）、組合せ合計重量の下限値（例えば、０ｇ）、組合せ合計重量の上限値（例えば、＋２ｇ）とが設定される（ステップＳ３０２）。かかる例では、組合せ合計重量の許容範囲は、１００ｇ以上１０２ｇ以下となる。なお、許容範囲には閾値を含めなくともよい。ステップＳ３０２が終わると、ステップＳ３０３に進み、その後ステップＳ３０４に進む。ステップＳ３０３は第２実施形態のステップＳ２０２と、ステップＳ３０４は第２実施形態のステップＳ２０３と同様であるので、説明を省略する。
【００７９】
ステップＳ３０４が終わると制御基板１５は、各ブロックから少なくとも一つの計量皿を取り出す各組合せについて、組合せ合計カロリー、各ブロックのカロリー構成比率と、組合せ合計重量（計量値の合計）とを演算する（ステップＳ３０５）。
【００８０】
ステップＳ３０５が終わると、ステップＳ３０６に進む。ステップＳ３０６は第２実施形態のステップＳ２０５と同様であるので説明を省略する。
【００８１】
ステップＳ３０６が終わると制御基板１５は、残った組合せのうち、組合せ合計カロリーおよび組合せ合計重量がそれぞれ対応する許容範囲内にある組合せがあるか否かの判定を行う（ステップＳ３０７）。
【００８２】
ステップＳ３０７においてＹＥＳと判定されると、制御基板１５により、残った組合せのうち、組合せ合計カロリーが組合せ目標カロリーに最も近いものから順にＫ（例えばＫ＝５）個の組合せを残して残りは最適組合せの候補から除外され（ステップＳ３０８）、残った組合せのうち組合せ合計重量が組合せ目標重量に最も近いものが最適組合せとして選択され（ステップＳ３０９）、最適組合せに参加する計量皿に対応する指示灯が点灯される（ステップＳ３１０）。作業者は、点灯している指示灯に対応する計量皿から被計量物を集めて包装することで、合計カロリーが目標値に略等しい商品（レタスとタマネギとコーンからなるサラダ）を製造することができる。ステップＳ３１０の後はステップＳ３０３に戻る。なお、実際には被計量物の載置（ステップＳ３０３）と組合せ演算と演算結果の表示（ステップＳ３０４〜Ｓ３１０）は同時に並行して進められるのが好ましい。かかる動作により、作業者は任意のタイミングで被計量物の載置と、取り出しとを行うことが可能となる。
【００８３】
ステップＳ３０７においてＮＯと判定されると、入出力装置１４にエラー表示がされる（ステップＳ３１１）。エラー表示がされれば、作業者により計量皿の上の被計量物が載せ替えられ（ステップＳ３１２）、ステップＳ３０４へと戻る。
［効果］
本実施形態の組合せ秤によれば、第１実施形態および第２実施形態と同様な効果が得られると共に、以下のような効果が得られる。
【００８４】
すなわち、被計量物の種類に応じ、各計量皿に載置された被計量物の計量値からカロリー値を演算し、組合せ合計カロリーおよび組合せ合計重量が共に目標値に略等しい組合せが容易に選択できる。よって、簡便な操作により消費者の多様なニーズに対応した商品（複数種類の物品からなる略等カロリーかつ略等重量のセット食品）が製造可能となる。特に、カロリーと重量が共に目標値に近い組合せが得られるため、消費者への訴求力が強い商品を製造することができる。
［変形例］
本実施形態においても、第１実施形態および第２実施形態と同様の変形例が可能である。
【００８５】
上述の説明では、カロリーと共に選別に用いるパラメータ（第１変数）を重量としたが、第１変数は価格であってもよい。いずれの場合でも入出力装置１４は、第１変数の目標値を設定するための第１変数設定装置と、計量値と第１変数との換算係数である第１変数換算係数を設定するための第１変数換算係数設定装置とを兼ねる。第１変数を価格とする構成でも、簡便な操作により消費者の多様なニーズに対応した商品（複数種類の物品からなる略等カロリーかつ略等重量のセット食品）が製造可能となる。特に、カロリーと価格が共に目標値に近い組合せが得られるため、消費者への訴求力が強い商品を製造することができる。
【００８６】
カロリーと共に、重量と価格を選別に用いてもよい。かかる構成でも、簡便な操作により消費者の多様なニーズに対応した商品（複数種類の物品からなる略等カロリーかつ略等重量のセット食品）が製造可能となる。特に、カロリーと価格と重量の全てが目標値に近い組合せが得られるため、消費者への訴求力がさらに強い商品を製造することができる。
【００８７】
計量皿をブロックに分けることは必須ではない。被計量物の種類が一種類の場合には、全ての計量皿を等質のものとして扱ってもよい。かかる構成でも、簡便な操作により消費者の多様なニーズに対応した商品（略等カロリーかつ略等重量の食品パック）が製造可能となる。
【００８８】
構成比率は必ずしもカロリーに基づいて演算される必要はない。カロリーと共に選別に用いるパラメータ（第１変数）に基づいて構成比率（第１変数構成比率）が演算されてもよい。かかる場合には、入出力装置１４が、第１変数構成比率（重量構成比率、価格構成比率）の許容範囲を設定するための第１変数構成比率設定装置（重量構成比率設定装置、価格構成比率設定装置）となる。
【００８９】
カロリー構成比率の許容範囲、第１変数構成比率（重量構成比率、価格構成比率）の許容範囲は下限値のみで設定されるものとしたが、下限値と上限値で設定されてもよい。カロリー構成比率に目標値が設定されてもよい。
【００９０】
さらに、カロリー構成比率を用いた演算による最適組合せの選択（カロリー構成比率組合せ計量）のみが行われる構成であったが、第１変数（価格あるいは重量）に基づく構成比率である第１変数構成比率を用いた演算による最適組合せの選択（第１変数構成比率組合せ計量）とカロリー構成比率組合せ計量とを選択的に実行可能としてもよい。すなわち、価格に基づく構成比率である価格構成比率を用いた演算による最適組合せの選択（価格構成比率組合せ計量）とカロリー構成比率組合せ計量とを選択的に実行可能としてもよい。カロリー構成比率組合せ計量と重量に基づく構成比率である重量構成比率を用いた演算による最適組合せの選択（重量構成比率組合せ計量）とを選択的に実行可能としてもよい。また、カロリー構成比率組合せ計量と重量構成比率組合せ計量と価格構成比率組合せ計量とを選択的に実行可能としてもよい。かかる場合には、入出力装置１４が、演算に用いる構成比率を選択するための構成比率選択装置となる。入出力装置１４は、作業者から入力された演算に用いる構成比率の選択に基づいて、構成比率選択信号を制御基板１５へと出力する。制御基板１５は、受け取った構成比率選択信号に基づいて、カロリー構成比率組合せ計量と重量構成比率組合せ計量と価格構成比率組合せ計量とを択一的に実行する。かかる構成によれば使用者は、カロリー構成比率、重量構成比率、価格構成比率のいずれかに基づく組合せ計量を任意に選択して実行できるため、便利である。複数の構成比率を共に用いて組合せ計量が行われてもよい。なお、重量構成比率、価格構成比率を用いた組合せについては、図４とほぼ同様であるため、説明を省略する。
【００９１】
上述の説明では、複数のパラメータを順次用いて選別が行われているが、混合して用いて選別が行われてもよい。例えば、組合せ合計カロリーと組合せ目標カロリーとの差分と、組合せ合計重量と組合せ目標重量の差分との積が最も小さくなる組合せが最適組合せとして選択されてもよい。パラメタ毎に差分に重み付けがされ、該重み付けがされた差分の積が最も小さくなる組合せが最適組合せとして選択されてもよい。
（第４実施形態）
［装置構成］
第４実施形態の組合せ秤の装置構成は、第２実施形態と同様であるので説明を省略する。［動作］
図６は、本発明の第４実施形態の組合せ秤を用いた組合せ計量の一例を概略的に示すフローチャートである。以下、本実施形態の組合せ秤を用いた計量方法の概略について、図１および図６を参照しつつ説明する。なお、以下の説明では、被計量物がレタスとタマネギとコーンである場合を例として説明する。
【００９２】
組合せ秤を起動すると（スタート）、まずパラメータの入力が行われる（ステップＳ４０１〜Ｓ４０４）。ステップＳ４０１については、第３実施形態のステップＳ３０１と同様であるので説明を省略する。ステップＳ４０１が終わると、作業者が入出力装置１４を操作することにより、３つのブロックのそれぞれについて、価格換算係数（例えば、ブロックＡ（レタス）につき２円／ｇ、ブロックＢ（タマネギ）につき１．２円／ｇ、ブロックＣ（コーン）につき１円／ｇ）と、組合せ目標価格（組合せ合計価格の目標値：例えば、１００円）と、組合せ合計価格の下限値（例えば、０円）と、組合せ合計価格の上限値（例えば、＋１円）トが設定される（ステップＳ４０２）。上述の例では、組合せ合計価格の許容範囲は、１００円以上１０１円以下となる。なお、許容範囲には閾値を含めなくともよい。ステップＳ４０２が終わるとステップＳ４０３に進む。ステップＳ４０３は第３実施形態のステップ３０２と同様であるので説明を省略する。ステップＳ４０３が終わると、作業者が入出力装置１４を操作することにより、３つのブロックのそれぞれについて、原価換算係数（例えば、ブロックＡ（レタス）につき１円／ｇ、ブロックＢ（タマネギ）につき０．５円／ｇ、ブロックＣ（コーン）につき０．６円／ｇ）が設定される（ステップＳ４０４）。
【００９３】
パラメータの入力が終わると、作業者によりそれぞれのブロックに対応する被計量物が空になっている計量皿に載置され（ステップＳ４０５）、制御基板１５により、計量値が安定している計量皿の計量値が、カロリー値と（ステップＳ４０６）、価格と（ステップＳ４０７）、原価と（ステップＳ４０８）に換算される。
【００９４】
ステップＳ４０８が終わると、制御基板１５により、得られたカロリー値と、計量値と、価格と、原価とを用いて、各ブロックから少なくとも一つの計量皿を取り出す各組合せについて、組合せ合計カロリーと、組合せ合計重量（組合せに参加する計量皿について得られた計量値の合計）と、組合せ合計価格（組合せに参加する計量皿について得られた価格の合計）と、組合せ合計原価（組合せに参加する計量皿について得られた原価の合計）と、各ブロックのカロリー構成比率が演算される（ステップＳ４０９）。
【００９５】
ステップＳ４０９が終わると、制御基板１５により、少なくとも一つのブロックにおいてカロリー構成比率が下限値よりも低くなっている組合せが、最適組合せの候補から除外され（ステップＳ４１０）、残った組合せのうち組合せ合計カロリーと組合せ合計重量と組合せ合計価格のいずれもが許容範囲内にある組合せががるか否かの判定が行われる（ステップＳ４１１）。
【００９６】
ステップＳ４１１でＹＥＳと判定された場合には、制御基板１５により、残った組合せのうち組合せ合計カロリーが組合せ目標カロリーに近い順にＬ（例えばＬ＝１５）個を残して他が除外され（ステップＳ４１２）、残った組合せのうち組合せ合計重量が組合せ目標重量に近い順にＭ（例えばＭ＝１０）個を残して他が除外され（ステップＳ４１３）、残った組合せのうち組合せ合計価格が組合せ目標価格に近い順にＮ（例えばＮ＝５）個を残して他が除外され（ステップＳ４１４）、残った組合せのうち組合せ合計原価が最も低いものが最適組合せとして選択される（ステップＳ４１５）。ステップＳ４１５が終わると、制御基板１５により、最適組合せに参加する計量皿に対応する指示灯が点灯される（ステップＳ４１６）。作業者は、点灯している指示灯に対応する計量皿から被計量物を集めて包装することで、合計カロリーと合計重量と合計価格が目標値に略等しくかつ原価の低い商品（レタスとタマネギとコーンからなるサラダ）を製造することができる。ステップＳ４１６の後はステップＳ４０５に戻る。なお、実際には被計量物の載置（ステップＳ４０５）と組合せ演算と演算結果の表示（ステップＳ４０６〜Ｓ４１６）とは同時に並行して進められるのが好ましい。かかる動作により、作業者は任意のタイミングで被計量物の載置と、取り出しとを行うことが可能となる。
【００９７】
ステップＳ４１１においてＮＯと判定されると、入出力装置１４にエラー表示がされる（ステップＳ４１７）。エラー表示がされれば、作業者により計量皿の上の被計量物が載せ替えられ（ステップＳ４１８）、ステップＳ４０６へと戻る。
［効果］
本実施形態の組合せ秤によれば、第３実施形態と同様な効果が得られると共に、以下のような効果が得られる。
【００９８】
すなわち、被計量物の種類に応じ、各計量皿に載置された被計量物の計量値からカロリー値、価格、原価が演算され、組合せ合計カロリーと組合せ合計価格と組合せ重量が目標値に略等しく、かつ原価の低い組合せが容易に選択できる。よって、簡便な操作により消費者の多様なニーズに対応した商品（複数種類の物品からなる略等カロリー、略等重量、略等価格のセット食品）を低コストで製造可能となる。
【００９９】
また、各ブロックについて、カロリー構成比率が所定の条件を満たす組合せが得られる。よって、バランスのよいセット食品が容易に製造可能となる。
［変形例］
本実施形態においても、第１実施形態乃至第３実施形態と同様の変形例が可能である。すなわち、カロリー値と重量と価格のいずれで組合せ演算を行うか、あるいはそれらを並行して組合せ演算に用いるかは任意である。また、カロリー組合せ計量と重量組合せ計量と価格組合せ計量とのいずれを実行するかを選択可能としてもよい。原価や構成比率を組合せ条件に組み込むか否かも任意である。構成比率をカロリーと、重量と、価格とのいずれで演算するかは任意であり、複数種類の構成比率を用いて組合せ条件が決定されてもよい。
【産業上の利用可能性】
【０１００】
本発明によれば、簡便な操作により消費者の多様なニーズに対応した商品を製造可能な組合せ秤および組合せ計量方法を提供することができる。
【図面の簡単な説明】
【０１０１】
【図１】本発明の第１実施形態の組合せ秤の概略構成の一例を示す斜視図である。
【図２】本発明の第１実施形態の組合せ秤の制御系統の一例を示すブロック図である。
【図３】本発明の第１実施形態の組合せ秤を用いた組合せ計量方法の一例を概略的に示すフローチャートである。
【図４】本発明の第２実施形態の組合せ秤を用いた組合せ計量方法の一例を概略的に示すフローチャートである。
【図５】本発明の第３実施形態の組合せ秤を用いた組合せ計量方法の一例を概略的に示すフローチャートである。
【図６】本発明の第４実施形態の組合せ秤を用いた組合せ計量の一例を概略的に示すフローチャートである。
【符号の説明】
【０１０２】
１０  組合せ秤
１１  本体
１２  計量皿
１３  指示灯
１４  入出力装置
１５  制御基板
１６  制御部
１７  記憶部
１８  指示灯駆動回路
１９  Ａ／Ｄ変換回路
２０  パネル部
【図１】
2008058262.tif 000003
【図２】
2008058262.tif 000004
【図３】
2008058262.tif 000005
【図４】
2008058262.tif 000006
【図５】
2008058262.tif 000007
【図６】
2008058262.tif 000008